(57)【要約】【課題】全人工股関節置換術における侵襲性の低減および人工股関節における関節位置の適正化を図ることが可能な人工臼蓋部品を提供する。【解決手段】人工臼蓋部品１０は、金属材料からなり、骨頭ボールを支持する半球状凹部１４を有するカップ部１２と、カップ部１２と一体に形成され且つカップ部１２の外側に延びるカップ支持部２０と、を備え、カップ支持部２０に、骨盤側の凹凸面と嵌り合う骨嵌合面２８が設けられている。また、カップ支持部２０は、空隙を多数備えたポーラス構造体２０ａで構成されている。【選択図】        図２
2020028510.tif 000002
【特許請求の範囲】
【請求項１】
金属材料からなり、
骨頭ボールを支持する半球状凹部を有するカップ部と、
該カップ部と一体に形成され且つ該カップ部の外側に延びるカップ支持部と、を備え、
該カップ支持部に、骨盤側の凹凸面と嵌り合う骨嵌合面が設けられており、
前記カップ部および／又はカップ支持部の少なくとも一部が、空隙を多数備えたポーラス構造体で構成されていることを特徴とする人工臼蓋部品。
【請求項２】
薄肉の表皮層が、前記ポーラス構造体の外面を覆うように、該ポーラス構造体と一体に形成されていることを特徴とする請求項１に記載の人工臼蓋部品。
【請求項３】
前記カップ支持部は、前記骨盤と対向する側に凹陥部が形成されていることを特徴とする請求項１に記載の人工臼蓋部品。
【請求項４】
前記カップ部の、前記カップ支持部との接合部の近傍には、前記カップ部の厚み方向に貫通して前記凹陥部と連通する貫通口が形成されていることを特徴とする請求項３に記載の人工臼蓋部品。
【請求項５】
請求項１〜４の何れかに記載の人工臼蓋部品の製造方法であって、
患者の股関節から取得したＣＴ断面撮影データもしくはＭＲＩ断面撮影データの重ね合せにより再現された前記股関節の３次元モデルを得る股関節モデル取得ステップと、
前記３次元モデルを用いて、健全な側の関節位置と左右対称となるように、人工股関節側の関節位置を決定する関節位置決定ステップと、
前記カップ部を、前記人工股関節側の関節位置に配置した状態で、前記カップ支持部の前記骨嵌合面が前記骨盤側の凹凸面と嵌り合うように、前記人工臼蓋部品の形状データを作成する形状データ作成ステップと、
前記形状データに基づいて、合金粉末材料を用いた積層造形法により、前記人工臼蓋部品を造形する人工臼蓋部品造形ステップと、を有することを特徴とする人工臼蓋部品の製造方法。
【請求項６】
前記人工臼蓋部品の形状データを作成するに際し、
カップ部およびカップ支持部を備えた雛形データを予め作成しておき、
前記カップ部を、前記人工股関節側の関節位置に配置した状態で、前記カップ支持部における前記骨盤と重複する部位を削除して、前記骨嵌合面の面形状を得るようになしたことを特徴とする請求項５に記載の人工臼蓋部品の製造方法。
【発明の詳細な説明】
【技術分野】
【０００１】
この発明は、全人工股関節置換術にて好適に用いられる人工臼蓋部品およびその製造方法に関する。
【背景技術】
【０００２】
人工股関節置換術は、変形性股関節症や関節リウマチ、大腿骨頭壊死、骨折などにより変形した股関節を、人工股関節に入れ替えて、歩行能力や股関節痛の改善を図る手術である。変形の箇所・程度によりその置換方法は異なり、例えば、臼蓋および大腿骨頭の変形・破壊に対する人工股関節置換術は、全人工股関節置換術（Total Hip Arthroplasty)と称される。
【０００３】
全人工股関節置換術（以下ＴＨＡと称する場合がある)では、図１０に示すように、人工股関節を構成する部品として、大腿骨側のステム５２および骨頭ボール５４、臼蓋側のカップ５６およびライナー５８が用いられる。このような構成は、例えば下記特許文献１に記載されている。これら人工股関節用部品では、球状の骨頭ボール５４がライナー５８を介してカップ５６の半球状凹部５７に回転自在に装入される。
ここで、強度が求められるステム５２、骨頭ボール５４およびカップ５６の素材として、チタン合金など身体との親和性が高い金属材料が用いられる。また、ライナー５８の素材についてはポリエチレンなどが用いられる。
【０００４】
ＴＨＡは、各部品を装着する際、生体骨が相当量削り取られる侵襲性の高い手術であり、患者にとって負担が大きい問題があった。
【０００５】
またＴＨＡでは、カップ５６を骨盤側に固定する際、図１１（Ａ）に示すように、カップ５６の外面が骨盤３８側の骨と広い面で接触するように、カップ５６の外面形状に習って生体骨が半球状に削られ、そして形成され凹状の支持面３９に沿ってカップ５６が嵌めこまれ、カップ５６が骨盤３８側に固定される。このため、図１１（Ｂ）に示すように、人工股関節の関節位置Ｏ2が、正常な股関節の関節位置Ｏ1に比べて大幅に移動してしまうが問題があった。
【０００６】
なお、下記特許文献２には、股関節部分の骨形状の三次元画像データに基づいて寛骨臼テンプレートを作製し、ＴＨＡにおける侵襲性の低減を図る点が開示されている。しかしながら、この引用文献２に記載の寛骨臼テンプレートは、樹脂製であり、また人工股関節に用いるカップ部材を一体に含んで構成されたものではなく、本発明とは異なるものである。
【先行技術文献】
【特許文献】
【０００７】
【特許文献１】特開２０１２−１１５３６８号公報
【特許文献２】特開２０１０−１１０３６０号公報
【発明の概要】
【発明が解決しようとする課題】
【０００８】
本発明は以上のような事情を背景とし、全人工股関節置換術における侵襲性の低減および人工股関節における関節位置の適正化を図ることが可能な人工臼蓋部品およびその製造方法を提供することを目的としてなされたものである。
【課題を解決するための手段】
【０００９】
而して本発明の人工臼蓋部品は、金属材料からなり、
骨頭ボールを支持する半球状凹部を有するカップ部と、
該カップ部と一体に形成され且つ該カップ部の外側に延びるカップ支持部と、を備え、
該カップ支持部に、骨盤側の凹凸面と嵌り合う骨嵌合面が設けられており、
前記カップ部および／又はカップ支持部の少なくとも一部が、空隙を多数備えたポーラス構造体で構成されていることを特徴とする。
【００１０】
人工股関節では、骨頭ボールと嵌合するカップ部の位置により関節位置が決定される。本発明の人工臼蓋部品では、カップ部がカップ支持部にて支持される構造であり、骨盤側と嵌り合うカップ支持部の骨嵌合面の形状を、個々の患者の骨盤側の凹凸面形状と合わせることで人工股関節における関節位置の適正化を図ることができる。
【００１１】
また、カップ部に作用する荷重はカップ支持部で受け止められるので、カップ部と直接、面接触する骨盤側の支持面を小さくすることができる。すなわち骨盤側での骨切削量を削減し得て、侵襲性の低減を図ることができる。
【００１２】
また、金属材料からなる人工臼蓋部品は、生体骨に比べ非常に重いことが問題であったが、本発明の人工臼蓋部品では、カップ部および／又はカップ支持部の少なくとも一部を、空隙を多数備えたポーラス構造体で構成することにより、軽量化を図ることが可能である。
【００１３】
ここで本発明では、薄肉の表皮層を、前記ポーラス構造体の外面を覆うように、該ポーラス構造体と一体に形成することができる。
人工臼蓋部品の一部をポーラス構造体とした場合であっても、その外面を覆うように表皮層を設けることで、所定の強度を確保することが容易となる。また人工臼蓋部品を積層造形法で造形する場合の製造性を向上させることができる。
【００１４】
ここで、表皮層には貫通孔を形成しておくことができる。人工臼蓋部品を積層造形法で造形した際、人工臼蓋部品内に残存する未溶融の金属粉末を外部に排出するための排出孔として用いられる。また、本発明の人工臼蓋部品が患者の骨盤に固定された後は、かかる貫通孔を通じて表皮層を内外に貫通する血管が形成される。
【００１５】
また本発明の人工臼蓋部品では、前記カップ支持部の骨盤と対向する側に凹陥部を形成しておくことができる。
人工臼蓋部品の固定を促進させるため、人工臼蓋部品と骨盤との隙間に移植骨片を詰め込むことが有効である。本発明の人工臼蓋部品において、骨盤と対向する側に凹陥部を設けておけば、骨盤との間に移植骨片を詰めるためのスペースを容易に確保することができる。
【００１６】
ここで、前記カップ部の、前記カップ支持部との接合部の近傍に、前記カップ部の厚み方向に貫通して前記凹陥部と連通する貫通口を形成しておけば、貫通口を通じて移植骨片を凹陥部に装入することができる。
【００１７】
次に、本発明の人工臼蓋部品の製造方法は、
患者の股関節から取得したＣＴ断面撮影データもしくはＭＲＩ断面撮影データの重ね合せにより再現された前記股関節の３次元モデルを得る股関節モデル取得ステップと、
前記３次元モデルを用いて、健全な側の関節位置と左右対称となるように、人工股関節側の関節位置を決定する関節位置決定ステップと、
前記カップ部を、前記人工股関節側の関節位置に配置した状態で、前記カップ支持部の前記骨嵌合面が前記骨盤側の凹凸面と嵌り合うように、前記人工臼蓋部品の形状データを作成する形状データ作成ステップと、
前記形状データに基づいて、合金粉末材料を用いた積層造形法により、前記人工臼蓋部品を造形する人工臼蓋部品造形ステップと、を有することを特徴とする。
【００１８】
本発明の製造方法によれば、患者の健全な側の関節位置と左右対称な関節位置に、好適に配置することができる人工臼蓋部品を製造することができる。また、本発明の製造方法にて採用する積層造形法によれば、形状において高い自由度が得られるため、複雑な形状を有するポーラス構造体にも対応することができる。
【００１９】
また本発明の製造方法では、前記人工臼蓋部品の形状データを作成するに際し、カップ部およびカップ支持部を備えた雛形データを予め作成しておき、前記カップ部を、前記人工股関節側の関節位置に配置した状態で、前記カップ支持部における前記骨盤と重複する部位を削除して、前記骨嵌合面の面形状を得るようにすることができる。
【発明の効果】
【００２０】
以上のような本発明によれば、全人工股関節置換術における侵襲性の低減および人工股関節における関節位置の適正化を図ることが可能な人工臼蓋部品およびその製造方法を提供することができる。
【図面の簡単な説明】
【００２１】
【図１】（Ａ）は本発明の一実施形態の人工臼蓋部品を示した斜視図である。（Ｂ）は同人工臼蓋部品を（Ａ）とは異なる向きで示した斜視図である。
【図２】図１の人工臼蓋部品の縦断面図である。
【図３】図１の人工臼蓋部品の製造手順を示したフローである。
【図４】関節位置決定ステップについての説明図である。
【図５】形状データ作成ステップについての説明図である。
【図６】図５に続く形状データ作成ステップについての説明図である。
【図７】雛形データを用いて人工臼蓋部品の形状を決定する場合の説明図である。
【図８】図１の人工臼蓋部品を含む人工股関節が装着された状態を示した図である。
【図９】図１とは異なる人工臼蓋部品の図である。
【図１０】全人工股関節置換術で用いる人工股関節を分離して示した図である。
【図１１】（Ａ）は従来の全人工股関節置換術の方法を説明するための図である。（Ｂ）は従来の全人工股関節置換術の問題点を説明するための図である。
【発明を実施するための形態】
【００２２】
次に本発明の実施形態を図面に基づいて詳しく説明する。
図１は本実施形態の人工臼蓋部品１０の外観を示した斜視図、図２は人工臼蓋部品１０の縦断面図である。人工臼蓋部品１０は、人工股関節を構成する部材で、金属素材（ここでは、Ｔi合金）からなり、カップ部１２と、カップ部１２と一体に形成されたカップ支持部２０を備えている。
【００２３】
カップ部１２は、椀型形状をなし、正面視円形の装入開口１３と半球状凹部１４を有している。人工股関節置換術においては、半球状凹部１４にライナー５８を介して骨頭ボール５４（図１０参照）が収容される。
【００２４】
カップ支持部２０は、カップ部１２の外側に向けて延出する板状の部位で、カップ部１２と一体に形成されている。ＴＨＡの際、カップ支持部２０の長手方向の頂部２１が略上向きとなるよう骨盤に装着される。かかるカップ支持部２０は、カップ部１２が所定の位置になるよう、カップ部１２を支持する人工腸骨体として機能するものである。
【００２５】
カップ支持部２０は、カップ部１２の装入開口１３側の第１面２２が凸状、反対側の第２面２３が凹状となるように湾曲し、第２面２３側には凹陥部２４が形成されている。この凹陥部２４は、人工臼蓋部品１０を骨盤に装着した際、移植骨片が充填される空間として機能する。
【００２６】
また、図１（Ｂ）および図２に示すように、カップ部１２の、前記カップ支持部２０との接合部の近傍には、カップ部１２の厚み方向に貫通して、凹陥部２４と連通する貫通口２５が形成されている。
【００２７】
図１（Ｂ）に示すように、カップ支持部２０の周縁には、骨盤側の骨と嵌り合う骨嵌合面２８が略Ｕ字状に設けられている。骨嵌合面２８の形状は、後述するように人工臼蓋部品１０が装着される患者の骨盤側の骨の凹凸形状に合わせて決定されている。詳しくは、人工臼蓋部品１０のカップ部１２を所望の関節位置に配置した際、カップ支持部２０の骨嵌合面２８が患者の骨盤の骨と嵌り合うようにその形状が決定されている。
【００２８】
図２に示すように、本例の人工臼蓋部品１０では、カップ支持部２０がポーラス構造体２０ａとその外面を覆う表皮層２０ｂとで構成されている。ポーラス構造体２０ａは、図２の部分拡大図で示すように、複数の棒状もしくは板状の小片２６が相互に接合され、かかる小片２６以外の部分に空隙２７が形成されている。このようなポーラス構造体２０ａを設けることで、人工臼蓋部品１０の軽量化を図ることができる。ポーラス構造体２０ａの具体的な形状は、その製造性や強度を考慮して適宜決定することができる。
【００２９】
表皮層２０ｂは、ポーラス構造体２０ａよりも薄肉で、ポーラス構造体２０ａを覆うように形成されている。表皮層２０ｂは、ポーラス構造体２０ａの外面近傍に位置する小片２６の径方向外向きの端部と一体に接合されており、人工臼蓋部品１０の強度を高めることができる。またポーラス構造体２０ａを覆うように表皮層２０ｂを設けておくことで、積層造形法を用いて人工臼蓋部品１０を造形する場合の製造性を向上させることができる。この表皮層２０ｂは、本例のようにポーラス構造体２０ａ全体を覆うように形成する場合に限定されるものではなく、ポーラス構造体２０ａの一部だけを覆うように形成することも可能である。
【００３０】
図１に示すように、本例では、ポーラス構造体２０ａおよび表皮層２０ｂを厚み方向に貫通する複数の貫通孔３４が形成されている。貫通孔３４は、人工臼蓋部品１０を積層造形法で作成した際、人工臼蓋部品１０内に残存する未溶融の金属粉末を外部に排出するための排出孔としての機能を有する。また、人工臼蓋部品１０が患者の骨盤に固定された後は、かかる貫通孔３４を通じてポーラス構造体２０ａおよび表皮層２０ｂを内外に貫通する血管が形成される。
【００３１】
本実施形態の人工臼蓋部品１０は、生体親和性に優れたＴｉ−６Ａｌ−４Ｖなどのチタン合金の粉末用い、積層造形法により形成される。図３は、この人工臼蓋部品１０の製造手順を示すフローである。
【００３２】
まず、人工臼蓋部品１０が取り付けられる患者の股関節部分を、ＣＴ装置、ＭＲＩ装置などの非破壊断面撮影装置４０により、例えば１００μｍなどの所定間隔で順次撮影し、股関節部分の各断面ごとの断面撮影データを取得する（ステップＳ１０１）。そして、得られた各断面の撮影データを、ワークステーションに送信可能なＤＩＣＯＭ（Digital Imaging and Communications in Medicine）形式で出力する（ステップＳ１０２）。
【００３３】
次に、ワークステーション４２にて、上記ＤＩＣＯＭ形式の断面撮影データを、ＳＴＬ（Standard Trianglation language）形式に変換し（ステップＳ１０３）、その後、ワークステーション４２にインストールされている３次元ＣＡＤソフトウェアにて読み込み、これらのデータを重ね合わせて股関節部分の３次元形状を再現する（ステップＳ１０４）。
【００３４】
次に、得られた股関節部分の３次元形状に基づいて、人工股関節における関節位置を決定する（ステップＳ１０５）。ここで関節位置とは、臼蓋（もしくは人工臼蓋部品）で支持された骨頭部（もしくは骨頭ボール）の回転中心の位置である。具体的には、図４に示すように、３次元ＣＡＤソフトウェア上で再現された図中左側の正常な股関節の形状から関節位置Ｏ1を求め、これと左右対称となる位置を図中右側の人工股関節の関節位置Ｏ2とする。
【００３５】
次に、カップ支持部２０の骨嵌合面２８の形状を決定する（ステップＳ１０６）。具体的には、図５に示すように、人工臼蓋部品１０のカップ部１２を関節位置Ｏ2の位置に配置する。そして、カップ部１２の外面から上向きに延出させたカップ支持部２０の骨嵌合面２８の形状を、骨盤３８の凹凸面３８ａの形状に合わせて決定する。
【００３６】
次に、ステップＳ１０７では、図６に示すように、カップ支持部２０の骨盤３８と対向する側の面を掘削して凹陥部２４を形成するとともに、カップ部１２の、カップ支持部２０との接合部の近傍に、カップ部１２の厚み方向に貫通して凹陥部２４と連通する貫通口２５を形成する。
【００３７】
次に、カップ支持部２０の厚み方向に貫通する貫通孔３４（図１参照）を形成する（ステップＳ１０８）。また、このとき固定用のスクリューを挿通させるための貫通孔を、カップ支持部２０に同時に設けてもよい。
【００３８】
このようにして外形形状が決定された後、カップ支持部２０についてポーラス処理を行う（ステップＳ１０９）。カップ支持部２０の外殻を構成する表皮層２０ｂとポーラス構造体２０ａのそれぞれの厚み、ポーラス構造体２０ａの具体的な形状等は、構造解析ソフトを使用して求められる応力分布等を考慮して適宜決定する。
このようにして人工臼蓋部品１０の形状データが作成される。すなわち上記で説明したステップＳ１０６〜Ｓ１０９が、本発明における形状データ作成ステップに相当する。
【００３９】
なお、以上で説明した形状データの作成方法はあくまでも一例である。例えば、カップ部およびカップ支持部を備え、且つ凹陥部２４や貫通孔３４が形成された雛形データを予め作成しておき、この雛形データに基づいて、図７に示すようにカップ部１２を、人工股関節側の関節位置Ｏ2に配置した状態で、カップ支持部２０における骨盤３８と重複する部位３５を削除して、骨嵌合面２８の面形状を得るようにすることも可能である。このようにすれば、ステップ１０６〜１０８までのステップを省略もしくは簡略化でき、形状データの作成に要する工数を削減することができる。
【００４０】
次に、所定の金属粉末材料（ここではＴｉ−６Ａｌ−４Ｖ合金粉末）を用い、積層造形可能な３Ｄプリンタ４４により人工臼蓋部品１０を造形する（ステップＳ１１０）。３Ｄプリンタ４４では、３次元ＣＡＤソフトウェアにて作成した人工臼蓋部品１０のスライスデータに基づき、金属粉末を所定の厚みに敷き均した粉末層に、レーザ光を走査して、所定の位置にある金属粉末を溶融・凝固させる。この操作を、１断面（１スライスデータ）ごと繰り返して、所定の形状の構造体を得る。
【００４１】
積層造形後、不要な部分を切り取って、その後、滅菌して所定形状の人工臼蓋部品１０を得る（ステップＳ１１１）。
【００４２】
このようにして得られた人工臼蓋部品１０は、図１０に示すライナー５８、ステム５２、骨頭ボール５４とともに人工股関節を構成する。図８は、人工臼蓋部品１０を含む人工股関節が装着された状態を示している。
【００４３】
本実施形態の人工臼蓋部品１０では、カップ部１２がカップ支持部２０にて支持される構造であり、骨盤３８側と嵌り合うカップ支持部２０の骨嵌合面２８の形状を、個々の患者の骨盤３８側の凹凸面形状と合わせることで人工股関節における関節位置Ｏ2の適正化を図ることができ、本例では人工股関節における関節位置Ｏ2を、正常な股関節の関節位置Ｏ1と左右対称の位置に規定することができる。
【００４４】
また、本実施形態の人工臼蓋部品１０では、カップ支持部２０の骨嵌合面２８が、残存する骨盤３８側の骨の面３８ａと当接して、カップ部１２に作用する荷重を受け止める。このため人工臼蓋部品１０を装着する際、カップ部１２と直接、面接触する骨盤側の支持面３９を小さくすることができる。すなわち骨盤３８側での骨切削量を削減し得て、侵襲性の低減を図ることができる。
【００４５】
本実施形態の人工臼蓋部品１０は、チタン合金からなる。チタン合金製の部品は、生体骨に比べ重いことが問題であったが、人工臼蓋部品１０では、カップ支持部２０を、空隙を多数備えたポーラス構造体で構成とすることにより軽量化が図られている。生体親和性に優れたチタン合金なる人工臼蓋部品１０は、患者の骨盤に装着されて一定期間が経過すると、骨組織と一体化する。
【００４６】
カップ支持部２０では、ポーラス構造体２０ａの外面を覆うように、薄肉の表皮層２０ｂがポーラス構造体２０ａと一体に形成されており、ポーラス構造体２０ａを採用した場合であっても、所定の強度を確保することが容易である。また人工臼蓋部品１０を積層造形法で造形する場合の製造性を向上させることができる。
【００４７】
本実施形態の人工臼蓋部品１０では、カップ支持部２０に貫通孔３４を形成している。この貫通孔３４は、人工臼蓋部品１０を積層造形法で造形した際、人工臼蓋部品１０内に残存する未溶融の金属粉末を外部に排出するための排出孔として用いられる。また、人工臼蓋部品１０が患者の骨盤３８に固定された後は、かかる貫通孔３４を通じてカップ支持部２０を内外に貫通する血管が形成される。
【００４８】
また本実施形態の人工臼蓋部品１０では、カップ支持部２０の骨盤３８と対向する側に凹陥部２４を形成しており、人工臼蓋部品１０と骨盤３８との間に移植骨片を詰めるためのスペースを容易に確保することができる。
【００４９】
本実施形態の人工臼蓋部品１０では、カップ部１２の、カップ支持部２０との接合部の近傍に、カップ部１２の厚み方向に貫通して凹陥部２４と連通する貫通口２５が形成されているため、貫通口２５を通じて移植骨片を凹陥部２４に装入することができる。
【００５０】
本実施形態の人工臼蓋部品１０は、患者の股関節から取得したＣＴ断面撮影データもしくはＭＲＩ断面撮影データの重ね合せにより再現された股関節の３次元形状に基づいて、健全な側の関節位置Ｏ1と左右対称となるように、人工股関節側の関節位置Ｏ2を決定し、カップ部１２を、人工股関節側の関節位置Ｏ2に配置した状態で、カップ支持部２０の骨嵌合面２８が骨盤３８側の凹凸面と嵌り合うように、人工臼蓋部品１０の形状データを作成する。
【００５１】
このため、本実施形態の製造方法によれば、患者の健全な側の関節位置と左右対称な関節位置に好適に配置することができる人工臼蓋部品１０を製造することができる。
【００５２】
また本実施形態の製造方法によれば、Ｔｉ合金粉末材料を用いた積層造形法により人工臼蓋部品１０を造形するため、形状において高い自由度が得られ、複雑な形状を有するポーラス構造体２０ａにも対応することができる。
【００５３】
図９は、上記実施形態とは異なる人工臼蓋部品１０Ｂを示した図である。同図で示すように、人工臼蓋部品１０Ｂでは、カップ部１２の上方に延びる上カップ支持部２０に加え、カップ部１２の下方に延びる下カップ支持部２０Ｂが形成されている。この下カップ支持部２０Ｂの周縁においても、骨盤側の骨と嵌り合う骨嵌合面２８Ｂが設けられている。本例の人工臼蓋部品１０Ｂによれば、カップ部１２を上下２方向から支持することができる。
【００５４】
以上本発明の実施形態を詳述したがこれらはあくまでも一例示である。上記実施形態は、カップ支持部２０にポーラス構造体を設けた例であったが、カップ部１２にポーラス構造体を設けることも可能であるし、カップ部およびカップ支持部の両方をポーラス構造体とすることも可能である。またポーラス構造体の外面を覆う表皮層は、ポーラス構造体の一部にのみ設けるようにすることも可能である等、本発明はその趣旨を逸脱しない範囲において様々変更を加えた形態で構成可能である。
【符号の説明】
【００５５】
１０，１０Ｂ  人工臼蓋部品
１２  カップ部
１４  半球状凹部
２０，２０Ｂ  カップ支持部
２０ａ  ポーラス構造体
２０ｂ  表皮層
２４  凹陥部
２５  貫通口
２８，２８Ｂ  骨嵌合面
３８  骨盤
３８ａ  凹凸面
５４  骨頭ボール
Ｏ１，Ｏ２  関節位置
【図１】
2020028510.tif 000003
【図２】
2020028510.tif 000004
【図３】
2020028510.tif 000005
【図４】
2020028510.tif 000006
【図５】
2020028510.tif 000007
【図６】
2020028510.tif 000008
【図７】
2020028510.tif 000009
【図８】
2020028510.tif 000010
【図９】
2020028510.tif 000011
【図１０】
2020028510.tif 000012
【図１１】
2020028510.tif 000013